(57)【要約】  【課題】  ユーザに連続番組を快適に提供することができる記録再生装置、記録再生方法、プログラムおよび記録媒体を提供することにある。  【解決手段】  垂直同期区間、ＭＰＥＧストリーム内に多重されたＥＩＴなどから取得される電子番組表データと、予め登録されているキーワードとを照合し、自動的に番組をハードディスク８などに録画する。電子番組表データに存在する連続番組に関する情報によって、視聴または録画予約した番組が連続番組であると判定された場合に、自動的に録画済みで且つ未視聴の連続番組の存在を、ＯＳＤ回路１３によって提示する。これにより、ユーザは、連続番組を途中から視聴した場合であっても、過去回分が録画されていたことを知り、最初から視聴することができる。【選択図】        図１
2005302117.tif 000002
【特許請求の範囲】
【請求項１】
テレビジョン放送を録画可能な記録再生装置において、
番組を録画する録画手段と、
番組の録画予約を行い、上記録画予約された番組を録画する予約録画手段と、
番組が連続番組であるか否かを判別する判別手段と、
上記予約録画手段で連続番組が予約された場合に、上記録画手段で録画済みで且つ未視聴の連続番組の存在を提示する提示手段とを有することを特徴とする記録再生装置。
【請求項２】
請求項１において、
さらに、上記録画手段で録画された番組を自動的に消去する自動消去手段を有し、上記自動消去手段は、未視聴の連続番組を残すような優先順位でもって番組を消去することを特徴とする記録再生装置。
【請求項３】
請求項１において、
上記録画手段は、電子番組表から得られたデータと予め設定されたキーワードとにより録画の対象となる番組を特定することを特徴とする記録再生装置。
【請求項４】
テレビジョン放送を録画可能な記録再生方法において、
番組を録画する録画ステップと、
番組の録画予約を行い、上記録画予約された番組を録画する予約録画ステップと、
番組が連続番組であるか否かを判別する判別ステップと、
上記予約録画ステップで連続番組が予約された場合に、上記録画ステップで録画済みで且つ未視聴の連続番組の存在を提示する提示ステップとを有することを特徴とする記録再生方法。
【請求項５】
テレビジョン放送を録画可能なプログラムにおいて、
番組を録画する録画ステップと、
番組の録画予約を行い、上記録画予約された番組を録画する予約録画ステップと、
番組が連続番組であるか否かを判別する判別ステップと、
上記予約録画ステップで連続番組が予約された場合に、上記録画ステップで録画済みで且つ未視聴の連続番組の存在を提示する提示ステップとをコンピュータに実行させることを特徴とするプログラム。
【請求項６】
テレビジョン放送を録画可能なプログラムを記録した記録媒体において、
番組を録画する録画ステップと、
番組の録画予約を行い、上記録画予約された番組を録画する予約録画ステップと、
番組が連続番組であるか否かを判別する判別ステップと、
上記予約録画ステップで連続番組が予約された場合に、上記録画ステップで録画済みで且つ未視聴の連続番組の存在を提示する提示ステップとをコンピュータに実行させるためのプログラムを記録したコンピュータによって読み取り可能な記録媒体。
【請求項７】
テレビジョン放送を録画可能な記録再生装置において、
番組を録画する録画手段と、
番組の録画予約を行い、上記録画予約された番組を録画する予約録画手段と、
番組が連続番組であるか否かを判別する判別手段と、
録画済みの番組を提示する提示手段と、
上記予約録画手段で連続番組が録画された場合に、上記録画手段で録画済みで且つ未視聴の連続番組の存在を、上記提示手段で提示する提示手段とを有することを特徴とする記録再生装置。
【請求項８】
請求項７において、
さらに、上記録画手段で録画された番組を自動的に消去する自動消去手段を有し、上記自動消去手段は、未視聴の連続番組を残すような優先順位でもって番組を消去することを特徴とする記録再生装置。
【請求項９】
請求項７において、
上記録画手段は、電子番組表から得られたデータと予め設定されたキーワードとにより録画の対象となる番組を特定することを特徴とする記録再生装置。
【請求項１０】
テレビジョン放送を録画可能な記録再生方法において、
番組を録画する録画ステップと、
番組の録画予約を行い、上記録画予約された番組を録画する予約録画ステップと、
番組が連続番組であるか否かを判別する判別ステップと、
録画済みの番組を提示する提示ステップと、
上記予約録画ステップで連続番組が録画された場合に、上記録画ステップで録画済みで且つ未視聴の連続番組の存在を、上記提示ステップで提示する提示ステップとを有することを特徴とする記録再生方法。
【請求項１１】
テレビジョン放送を録画可能なプログラムにおいて、
番組を録画する録画ステップと、
番組の録画予約を行い、上記録画予約された番組を録画する予約録画ステップと、
番組が連続番組であるか否かを判別する判別ステップと、
録画済みの番組を提示する提示ステップと、
上記予約録画ステップで連続番組が録画された場合に、上記録画ステップで録画済みで且つ未視聴の連続番組の存在を、上記提示ステップで提示する提示ステップとをコンピュータに実行させることを特徴とするプログラム。
【請求項１２】
テレビジョン放送を録画可能なプログラムを記録した記録媒体において、
番組を録画する録画ステップと、
番組の録画予約を行い、上記録画予約された番組を録画する予約録画ステップと、
番組が連続番組であるか否かを判別する判別ステップと、
録画済みの番組を提示する提示ステップと、
上記予約録画ステップで連続番組が録画された場合に、上記録画ステップで録画済みで且つ未視聴の連続番組の存在を、上記提示ステップで提示する提示ステップとをコンピュータに実行させるためのプログラムを記録したコンピュータによって読み取り可能な記録媒体。
【発明の詳細な説明】
【技術分野】
【０００１】
この発明は、記録再生装置、記録再生方法、プログラムおよび記録媒体に関する。
【背景技術】
【０００２】
映像および音声のデータが含まれるテレビジョン放送などの番組を記録／再生する記録再生装置として、テープ状記録媒体、所謂ビデオテープに番組を記録するＶＴＲ（Vide Tape Recorder）が広く普及している。近年では、磁気ディスクや光ディスクなどのディスク状記録媒体に記録するハードディスクレコーダやＤＶＤ（Digital Versatile Disc）レコーダ、Blu-ray Disc（商品名）レコーダなどの記録再生装置が開発され、普及しつつある。
【０００３】
これら記録再生装置には、使用者の利便性を向上するための機能が備えられている。例えば、ネットワーク接続機能、電子番組表（ＥＰＧ: Electronic Programming Guide）を利用した録画予約機能など、利便性の高い機能を搭載した記録再生装置が実用化されている。
【０００４】
特に、近年の記録再生装置では、ユーザの所望するキーワードを登録しておき、登録したキーワードと電子番組表データとを照らし合わせ、一致する番組を自動的に録画することが可能となっている。このような使用者の利便性を向上する機能は重要である。下記の特許文献１には、ファイルの消去あるいはプロテクトを簡便に行うことができる記録再生装置および記録再生方法が記載されている。
【０００５】
【特許文献１】特開２００３−２４２７５１号公報
【０００６】
特許文献１に記載の記録再生装置および記録再生方法によれば、再生を終了した時点でファイル消去やプロテクトを問い合わせるようにしていることで、ファイルの消去やプロテクトを行う手順が省略でき、これら作業を簡便に行うことができる。
【発明の開示】
【発明が解決しようとする課題】
【０００７】
しかしながら、従来の記録再生装置には、以下の問題点があった。テレビジョン放送番組において、視聴者、マスコミ等で話題になることにより、連続番組を途中の回から視聴を開始することがある。その場合、以前に放映された回の番組は、再放送があるまで視聴できなかった。
【０００８】
また、ハードディスクなどの記録媒体の残容量に応じて、録画された番組の一部を自動的に消去する機能が知られている。しかしながら、番組に応じて消去候補の優先度を設定するものではなく、プロテクト設定を行わないと視聴前に消去されてしまうおそれがある問題点があった。
【０００９】
したがって、この発明の目的は、連続番組を快適に視聴することを可能とする記録再生装置、記録再生方法、プログラムおよび記録媒体を提供することにある。
【課題を解決するための手段】
【００１０】
上記目的を達成するために、請求項１に係る発明は、テレビジョン放送を録画可能な記録再生装置において、番組を録画する録画手段と、番組の録画予約を行い、録画予約された番組を録画する予約録画手段と、番組が連続番組であるか否かを判別する判別手段と、予約録画手段で連続番組が予約された場合に、録画手段で録画済みで且つ未視聴の連続番組の存在を提示する提示手段とを有することを特徴とする記録再生装置である。
【００１１】
また、請求項４に係る発明は、テレビジョン放送を録画可能な記録再生方法において、番組を録画する録画ステップと、番組の録画予約を行い、録画予約された番組を録画する予約録画ステップと、番組が連続番組であるか否かを判別する判別ステップと、予約録画ステップで連続番組が予約された場合に、録画ステップで録画済みで且つ未視聴の連続番組の存在を提示する提示ステップとを有することを特徴とする記録再生方法である。
【００１２】
また、請求項５に係る発明は、テレビジョン放送を録画可能なプログラムにおいて、番組を録画する録画ステップと、番組の録画予約を行い、録画予約された番組を録画する予約録画ステップと、番組が連続番組であるか否かを判別する判別ステップと、予約録画ステップで連続番組が予約された場合に、録画ステップで録画済みで且つ未視聴の連続番組の存在を提示する提示ステップとをコンピュータに実行させることを特徴とするプログラムである。
【００１３】
また、請求項６に係る発明は、テレビジョン放送を録画可能なプログラムを記録した記録媒体において、番組を録画する録画ステップと、番組の録画予約を行い、録画予約された番組を録画する予約録画ステップと、番組が連続番組であるか否かを判別する判別ステップと、予約録画ステップで連続番組が予約された場合に、録画ステップで録画済みで且つ未視聴の連続番組の存在を提示する提示ステップとをコンピュータに実行させるためのプログラムを記録したコンピュータによって読み取り可能な記録媒体である。
【００１４】
また、請求項７に係る発明は、テレビジョン放送を録画可能な記録再生装置において、番組を録画する録画手段と、番組の録画予約を行い、録画予約された番組を録画する予約録画手段と、番組が連続番組であるか否かを判別する判別手段と、録画済みの番組を提示する提示手段と、予約録画手段で連続番組が録画された場合に、録画手段で録画済みで且つ未視聴の連続番組の存在を、提示手段で提示する提示手段とを有することを特徴とする記録再生装置である。
【００１５】
また、請求項１０に係る発明は、テレビジョン放送を録画可能な記録再生方法において、番組を録画する録画ステップと、番組の録画予約を行い、録画予約された番組を録画する予約録画ステップと、番組が連続番組であるか否かを判別する判別ステップと、録画済みの番組を提示する提示ステップと、予約録画ステップで連続番組が録画された場合に、録画ステップで録画済みで且つ未視聴の連続番組の存在を、提示ステップで提示する提示ステップとを有することを特徴とする記録再生方法である。
【００１６】
また、請求項１１に係る発明は、テレビジョン放送を録画可能なプログラムにおいて、番組を録画する録画ステップと、番組の録画予約を行い、録画予約された番組を録画する予約録画ステップと、番組が連続番組であるか否かを判別する判別ステップと、録画済みの番組を提示する提示ステップと、予約録画ステップで連続番組が録画された場合に、録画ステップで録画済みで且つ未視聴の連続番組の存在を、提示ステップで提示する提示ステップとをコンピュータに実行させることを特徴とするプログラムである。
【００１７】
また、請求項１２に係る発明は、テレビジョン放送を録画可能なプログラムを記録した記録媒体において、番組を録画する録画ステップと、番組の録画予約を行い、録画予約された番組を録画する予約録画ステップと、番組が連続番組であるか否かを判別する判別ステップと、録画済みの番組を提示する提示ステップと、予約録画ステップで連続番組が録画された場合に、録画ステップで録画済みで且つ未視聴の連続番組の存在を、提示ステップで提示する提示ステップとをコンピュータに実行させるためのプログラムを記録したコンピュータによって読み取り可能な記録媒体である。
【００１８】
請求項１、４、５、６の発明では、録画手段で番組を録画しておき、録画予約された番組が連続番組であると判定された場合に、録画手段で録画済みで且つ未視聴の連続番組の存在を提示することで、ユーザは、録画予約していなかった連続番組を途中から録画予約した際に、第１回目の放映番組から録画されていることが分かり、第１回目の番組から視聴することができる。
【００１９】
請求項７、１０、１１、１２の発明では、録画手段で番組を録画しておき、録画済みの番組を提示する際に、予約録画で録画された番組が連続番組であると判定された場合に、録画手段で録画済みで且つ未視聴の連続番組の存在を提示することで、ユーザは、連続番組が第１回目の放映番組から録画されていることが分かり、第１回目の番組から視聴することができる。
【発明の効果】
【００２０】
この発明では、テレビジョン放送番組において、連続番組を途中の回から視聴し始めた場合であっても、それ以前に放映された番組を視聴することができる。また、録画された番組を自動的に消去する場合、未視聴の連続番組を残すような優先順位でもって番組を消去することによって、視聴前に未視聴の連続番組が消去されてしまうおそれを防止できる。
【発明を実施するための最良の形態】
【００２１】
以下、この発明の実施の形態について図面を参照して説明する。図１は、この発明の一実施形態による記録再生装置の構成の一例を示す。まず、図１に示す記録再生装置１を構成する各要素について説明する。
【００２２】
地上波チューナ部２は、地上アナログ放送などのアナログ放送の信号を、図示しない地上波アンテナに接続されている地上波アンテナ入力から入力し、入力した信号に増幅処理等を施して、ＮＴＳＣ（National Television System Committee）方式などのアナログテレビジョン信号を取得する。地上波チューナ部２は、さらに、この取得したアナログテレビジョン信号を復調し、アナログ映像信号とアナログ音声信号を生成する。なお、アナログテレビジョン信号は、ＰＡＬ（Phase Alternation by Line）、ＳＥＣＡＭ（Sequential Couleur a Memoire）など、ＮＴＳＣ方式以外の場合もある。
【００２３】
地上波チューナ部２で生成されたアナログ映像信号およびアナログ音声信号は、それぞれ、アナログビデオデコーダ３および音声Ａ／Ｄ変換器４に入力される。
【００２４】
アナログビデオデコーダ３は、地上波チューナ部２から入力される複合カラー映像信号を復号して、アナログ映像信号を分離し、分離した映像信号をデジタル化し、デジタル映像信号を生成する。アナログビデオデコーダ３は、ＶＢＩスライサなどにより、アナログ映像信号のＶＢＩ（Vertical Blanking Interval）に重畳されている電子番組表などのデータの取得が可能とされている。この取得されたデータは、ＣＰＵ１０の制御に基づき、ＲＡＭ１５またはハードディスクドライブ（ＨＤＤ）８などに記憶される。なお、ＶＢＩデータ処理専用の回路をアナログビデオデコーダ３とは別個に設け、電子番組表などのデータを取得しても良い。記録再生装置１は、このアナログビデオデコーダ３によって取得される電子番組表データを、定期的に読み取り、放送スケジュール、番組に関するデータを取得する。
【００２５】
音声Ａ／Ｄ変換器４は、地上波チューナ部２から入力されるアナログ音声信号をデジタル化し、デジタル音声信号を生成する。アナログビデオデコーダ３で生成されたデジタル映像信号および音声Ａ／Ｄ変換器４で生成されたデジタル音声信号は、共にデジタルエンコーダ５に入力される。
【００２６】
デジタルエンコーダ５は、アナログビデオデコーダ３から入力されるデジタル映像信号に、ＭＰＥＧ−２（Moving Picture Experts Group −２）などによる圧縮符号化処理を施す。また、音声Ａ／Ｄ変換器４から入力されるデジタル音声信号に、ＭＰＥＧ−２ ＡＡＣ（Advanced Audio Coding）などによる圧縮符号化処理を施す。デジタルエンコーダ５は、さらに、これら圧縮符号化処理を施した映像信号と圧縮符号化処理を施した音声信号とシステムデータとを多重化し、映像および音声の情報を含むストリーム（以下、単にストリームと称する）を生成する。このストリームは、例えばＭＰＥＧ−２ Systems（ＩＳＯ／ＩＥＣ１３８１８?１）に準拠したトランスポートストリームである。
【００２７】
デジタルエンコーダ５で生成されたストリームは、内部バス６およびドライブ制御用インタフェース（Ｉ／Ｆ）７を介して、ハードディスク８またはＤＶＤドライブ９に入力され、ハードディスク８またはＤＶＤに記録される。ＤＶＤドライブ９は、図示しないが、ＤＶＤに対するデータの記録／再生を行うものである。
【００２８】
内部バス６は、ストリームの信号処理部とＣＰＵ１０などを接続するバスである。内部バス６には、ＣＰＵ１０、デジタルエンコーダ５、ドライブ制御用インタフェース部７、外部接続用インタフェース部１１、デジタルデコーダ１２、エラー訂正回路２１などが接続されている。
【００２９】
ドライブ制御用インタフェース部７は、ハードディスク８およびＤＶＤドライブ９と内部バス６とを接続するための、ＩＤＥ（Integrated Device Electronics）などのインタフェースである。ドライブ制御用インタフェース部７は、録画時には、ハードディスク８またはＤＶＤドライブ９に対して、入力されるストリームを書き込むよう制御し、再生時には、ハードディスク８またはＤＶＤドライブ９に対して、記録されているストリームを読み出すよう制御する。
【００３０】
なお、図１に示す記録再生装置１では、録画の際にストリームが記録される記録媒体のドライブとして、ハードディスク８とＤＶＤドライブ９を１個ずつ使用しているが、ストリームを記録するのに適したドライブ構成であるならば、ドライブの数および種類は、特に限定されるものではない。例えば、ハードディスク８を複数個使用しても良いし、ＤＶＤに限らず、Blu-ray Disc（商品名）を記録媒体として用いても良い。
【００３１】
ＣＰＵ１０は、記録再生装置１を構成する各要素を制御するＣＰＵ（Central Processing Unit）であり、記録再生装置１におけるストリームの記録／再生の処理を司る。例えば、ＣＰＵ１０は、ＰＴＳ（Presentation Time Stamp）などの時間情報を管理しており、各要素での処理のタイミング制御を行う。また、ＣＰＵ１９は、ＲＡＭ１５やＲＯＭ１６などのメモリに記憶されているプログラムを実行する。さらに、ＣＰＵ１０は、ＣＰＵバス１４を介してリモコン受信部１７から供給されるリモコンコードなどの制御信号に従って記録再生装置１を構成する各要素を制御する。
【００３２】
また、ＣＰＵ１０は、内部バス６を経由するストリームのシステムデータから電子番組表データの取得が可能とされている。なお、この取得されたデータは、ＲＡＭ１５またはハードディスク８などに記憶される。ＣＰＵ１０は、この電子番組表データを、例えば定期的に読み取り、放送スケジュール、番組に関するデータ等を取得する。
【００３３】
外部接続用インタフェース部１１は、ＬＡＮ（Local Area Network）アダプタやモデムなどの、記録再生装置１の外部のネットワークに接続するためのインタフェースである。記録再生装置１には、外部接続用のインタフェースとして、映像および音声などのデジタルデータを入出力するのに適した、ＩＥＥＥ１３９４、ＰＣＩ（Peripheral Component Interconnect）、ＩＤＥ、ＳＣＳＩ（Small Computer System Interface）、ＰＣＭＣＩＡ（Personal Computer Memory Card International Association）バス、ＵＳＢ（Universal Serial Bus）などを設けても良い。
【００３４】
デジタルデコーダ１２は、ドライブ制御用インタフェース７および内部バス６を介して、ハードディスク８またはＤＶＤドライブ９から入力されるストリームを分離し、圧縮符号化されている映像信号と圧縮符号化されている音声信号とシステムデータとを取得する。デジタルデコーダ１２は、取得した圧縮符号化されている映像信号および音声信号を復号し、デジタル映像信号およびデジタル音声信号を生成する。デジタルデコーダ１２は、さらに、生成したデジタル映像信号およびデジタル音声信号を、それぞれ、アナログ映像信号およびアナログ音声信号に変換する。
【００３５】
デジタルデコーダ１２で変換されたアナログ映像信号は、ＯＳＤ回路１３に入力される。デジタルデコーダ１２で変換されたアナログ音声信号は、図示しない音声出力端子等を介して記録再生装置１の外部に出力される。
【００３６】
ＯＳＤ回路１３は、必要に応じてＯＳＤ（On-Screen Display）などのユーザインタフェース用画面データを生成し、生成した画面データを、デジタルデコーダ１２から入力されるアナログ映像信号に重畳する。
【００３７】
ＯＳＤ回路１３で必要に応じて画面データが重畳されたアナログ映像信号は、図示しない映像出力端子等を介して記録再生装置１の外部に出力される。
【００３８】
ＣＰＵバス１４は、ＣＰＵ１０とメモリなどを接続するバスである。ＣＰＵバス１４には、ＣＰＵ１０、ＲＡＭ１５、ＲＯＭ１６、リモコン受信部１７などが接続されている。なお、記録再生装置１は、内部バス６とＣＰＵバス１４とが別々の構成とされているが、これらは必ずしも別々である必要はなく、共通であっても良い。
【００３９】
ＲＡＭ１５は、ＳＤＲＡＭ（Synchronous Dynamic Random Access Memory）などの、一時的なデータを記憶する書き込み可能な半導体記憶素子である。ＲＡＭ１５は、ＣＰＵ１０の処理に必要な、ワーク用メモリ空間として使用される。ＲＯＭ１６は、フラッシュメモリなどの主として記憶データの読み込みのみに使用される半導体記憶素子である。例えば、ＲＯＭ１６には、ＣＰＵ１０により行われる処理手順がプログラムとして記憶されている。
【００４０】
リモコン受信部１７とリモコン装置１８は、ユーザが記録再生装置１を操作する際に使用するユーザインタフェースである。リモコン装置１８は、例えば、赤外線などを利用してリモコンコードなどの制御信号を送信するリモートコマンダであり、ユーザが記録再生装置１を操作する際に使用する他、画面に表示されるＯＳＤの指示などに従って、ユーザが記録再生装置１にデータを送信する際に使用される。リモコン受信部１７は、リモコン装置１８から送信される制御信号を受信し、受信した制御信号を、ＣＰＵバス１４を介してＣＰＵ１０に供給する。なお、これらリモコン受信部１７とリモコン装置１８によるユーザインタフェースは、記録再生装置１の本体に操作部を設け、記録再生装置１の制御信号を操作部からＣＰＵ１０に供給する構成であっても良い。
【００４１】
デジタルチューナ部１９は、衛星デジタル放送、地上デジタル放送などのデジタル放送の信号を、図示しないデジタルアンテナに接続されているデジタルアンテナ入力から入力し、入力した信号に増幅処理等を施して、伝送路符号化されている信号を取得する。
【００４２】
デジタルチューナ部１９で取得された伝送路符号化されている信号は、デジタル復調回路２０に入力される。デジタル復調回路２０は、デジタルチューナ部１９から入力される伝送路符号化されている信号を復調し、ベースバンド信号を生成する。デジタル復調回路２０で復調されたベースバンド信号は、エラー訂正回路２１に入力される。エラー訂正回路２１は、デジタル復調回路２０から入力されたベースバンド信号の誤り訂正の処理を行い、ストリームを生成する。このストリームは、例えばＭＰＥＧ−２ Systems（ＩＳＯ／ＩＥＣ１３８１８−１）に定義されるトランスポートストリームである。
【００４３】
エラー訂正回路２１で生成されたストリームは、内部バス６およびドライブ制御用インタフェース７を介して、ハードディスク８またはＤＶＤドライブ９に入力され、ハードディスク８またはＤＶＤに記録される。
【００４４】
記録再生装置１は、アナログ放送を録画する場合には、地上波アンテナ入力から入力されるアナログ放送の信号を、地上波チューナ部２、アナログビデオデコーダ３、音声Ａ／Ｄ変換器４およびデジタルエンコーダ５で順次処理してストリームを生成し、生成したストリームを、内部バス６とドライブ制御用インタフェース７を経由して、ハードディスク８および／またはＤＶＤに記録する。
【００４５】
記録再生装置１は、デジタル放送を録画する場合には、デジタルアンテナ入力から入力されるデジタル放送の信号を、デジタルチューナ１９、デジタル復調回路２０およびエラー訂正回路２１で順次処理してストリームを生成し、生成したストリームを、内部バス６とドライブ制御用インタフェース７を経由して、ハードディスク８および／またはＤＶＤに記録する。
【００４６】
記録再生装置１は、ハードディスク８および／またはＤＶＤに記録されているストリームを再生する場合には、ハードディスク８またはＤＶＤドライブ９から、再生するストリームを、ドライブ制御用インタフェース７と内部バス６を経由してデジタルデコーダ１２に供給し、デジタルデコーダ１２およびＯＳＤ回路１３で順次処理して、アナログ映像信号とアナログ音声信号を生成し、生成したアナログ映像信号とアナログ音声信号を、それぞれ、記録再生装置１の外部に出力する。
【００４７】
記録再生装置１は、ＣＰＵ１０がＲＯＭ１６などのメモリに記憶されているプログラムを読み込み、実行することで、ユーザに対して快適な番組の視聴環境を提供する。このプログラムは、予めＲＡＭ１５、ＲＯＭ１６などのメモリに記憶されていても良いし、ＤＶＤやメモリカードなどの着脱自在な記録媒体に記録されているものをインストールしてＲＡＭ１５に記憶したものでも良いし、ネットワークを介して所定のサーバなどからダウンロードし、ＲＡＭ１５に記憶したものでも良い。また、このＣＰＵ１０がプログラムを読み込み行う処理は、ハードウェアで実現しても良い。
【００４８】
以下、このＣＰＵ１０による処理について説明する。ＣＰＵ１０が行う処理過程では、連続番組に関する情報が使用される。なお、連続番組とは、間隔をおいて２回以上放映されることが予定されている番組のことである。まず、連続番組に関する情報について説明する。
【００４９】
記録再生装置１が受信するテレビジョン放送には、地上波アナログ放送と、衛星デジタル放送と、地上波デジタル放送とがある。これらテレビジョン放送には、それぞれ、電子番組表などの番組に関する情報が多重されている。
【００５０】
地上波アナログ放送では、ＶＢＩと呼ばれる垂直同期区間を利用して番組に関する情報が伝送されている。衛星デジタル放送および地上波デジタル放送では、番組配列情報（ＳＩ: Service Information）を用いて番組に関する情報が伝送されている。
【００５１】
図２は、地上波アナログ放送のＶＢＩ区間を利用して伝送される電子番組表のデータ構造の一例を示す。この電子番組表のデータ構造は、文字多重放送用に規定されている規格を用いたものである。図２Ａは、フィジカル層（第１階層）を示し、図２Ｂは、リンク層（第２階層）を示し、図２Ｃは、ネットワーク層（第３階層）を示している。
【００５２】
図２Ａに示すように、ＶＢＩ区間を利用したデータ伝送には、１走査線毎に２９６ビットのデータラインが使用される。なお、ＶＢＩのデータ伝送用として使用されるのは、水平走査線番号の第１０〜第１３ラインと第２７３〜第２７６ラインである。
【００５３】
図２Ｂに示すように、データラインの２９６ビットの先頭から２４ビットは、同期ビットとして使用され、残りの２７２ビットがデータパケットとして使用される。同期ビットの先頭から１６ビットは、クロックライン（ＣＲ）ビット同期符号として使用され、残りの８ビットは、フレーミングコード（ＦＣ）バイト同期符号として使用される。データパケットは、短縮化差集合巡回符号（２７２，１９０）であり、１９０ビットのデータブロックと８２ビットのチェック符号（誤り訂正用）とで構成されている。
【００５４】
図２Ｃに示すように、データブロックの先頭から１４ビットは、ＬＣＩ２、ＳＣＣ、ＣＩ、ＤＴＣからなるパケットプリフィックス（ＰＦ）として使用されており、残りの１７６ビット（２２バイト）がデータブロックである。ＬＣＩ２は、論理チャンネル識別２の符号であり、ＳＣＣは、スクランブル制御用符号であり、ＣＩは、連続性指標の符号であり、ＤＴＣは、データグループ制御用の符号（ＴＤＦ先頭フラグとＥＤＦ終端フラグ）である。図２Ｃに示すデータブロックの１７６ビット（２２バイト）が電子番組表データなどのデータ伝送として使用することができる。
【００５５】
図３は、一実施形態で使用可能な電子番組表データのテーブル構成の一例を示す。図３に示すテーブルは、「放送時間」、「番組ＩＤ」、「カテゴリ」、「タイトル」、「放送パターン」、「話数」の項目で構成されている。なお、「放送パターン」、「話数」など連続番組に関する情報を記載する項目は、現状の電子番組表に定義されていない項目であり、未定義領域を使用して規定する。
【００５６】
項目「放送時間」は、番組の開始時間や継続時間などの番組放送時間に関するデータであり、項目「番組ＩＤ」は、番組を一意に識別するためのデータであり、項目「タイトル」は、番組のタイトルを示すデータであり、項目「カテゴリ」は、ニュース番組、スポーツ番組などの番組のカテゴリに関するデータである。
【００５７】
また、項目「放送パターン」は、番組が単発的な番組であるか、単発的でない連続性を有する番組（以下、連続番組と称する）であるか、といった、番組の放送パターンを示すデータであり、項目「話数」は、連続番組における何回目の番組であるか、何回で終了するかなどの番組の話数に関するデータである。
【００５８】
アナログビデオデコーダ３で電子番組表のデータを取得して、このような連続番組に関する情報を読み取ることで、放送パターンや番組回数を予め取得することができる。図３に示した例では、アナログビデオデコーダ３が電子番組表のデータを取得し、項目「放送パターン」のデータを読み取ることで、対応する番組が連続番組であるか否かを判別することができ、項目「話数」のデータを読み取ることで、対応する番組が何話中の第何話目かを判別することができる。
【００５９】
衛星デジタル放送、地上波デジタル放送などでは、番組配列情報の中に番組情報を表すイベント情報テーブル（ＥＩＴ: Event Information Table）が定義されている（ＡＲＩＢ（Association of Radio Industries and Businesses）標準規格ＳＴＤ−Ｂ１０を参照）。
【００６０】
図４は、ＡＲＩＢ標準規格ＳＴＤ−Ｂ１０で定義されているＥＩＴの構造である。ＥＩＴ内には、番組に関する詳細情報を記述する記述子（descriptor）が定義されている。図４中、[Ａ]に示す、descriptor() には、シリーズ記述子が挿入される。シリーズ記述子は、連続ドラマや一連の番組シリーズなど番組に関する詳細情報を記述する記述子である。
【００６１】
図５は、シリーズ記述子（Series Descriptor）の構造である。[Ｂ]に示す、「program_pattern」には、放送編成パターンの情報が記載されている。例えば、「program_pattern」に0×2が記載されている場合、毎週放送を意味する。[Ｃ]に示す、「episode_number」には、何番目の番組かを示す番組回数の情報が記載されている。[Ｄ]に示す、「last_episode_number」には、番組の最終回数の情報が記載されている。
【００６２】
ＣＰＵ１０が内部バス６を経由するストリームから電子番組表のデータを取得して、このような、連続番組に関する情報を読み取ることで、放送パターンや番組回数を予め取得することができる。すなわち、図５に示す、「episode_number」を読み取ることで、シリーズ記述子に該当する番組が連続して放送される番組であるか否かを判別することができる。これにより、該当する番組が連続番組であるか否かを判別することができる。また、「last_episode_number」を読み取ることで、該当する番組が何話中の第何話目かを判別することができる。
【００６３】
なお、外部接続用インタフェース１１を介して、ネットワーク上の所定のサーバなどからダウンロードすることで、上述したような電子番組表のデータを取得し、連続番組に関する情報を取得しても良い。取得した連続番組に関する情報は、例えばＲＡＭ１５に記憶される。
【００６４】
次に、ＣＰＵ１０がプログラムを読み込み行う処理過程で使用されるユーザインタフェースについて説明する。プログラムの処理過程で使用されるユーザインタフェースは、特に限定されるものではなく、例えば、ＬＣＤ（Liquid Crystal Display）および操作キーを備えたリモコン装置１８を使用できる。以下の説明におけるＯＳＤによる操作メニューは、それぞれ、リモコン装置１８によって操作可能とされている。
【００６５】
記録再生装置１は、設定したキーワードの条件に合った番組を電子番組表のデータから検索して自動的に録画することが可能とされている。勿論、自動的ではなく、ユーザが自分で録画したい番組を指定して予約する予約録画も可能である。図６は、キーワード設定に用いる操作メニューの一例である。キーワードは、人名、地名など、ユーザが自由に設定できるが、ここでは、予め用意されている番組のジャンルからキーワードを選択する場合について説明する。
【００６６】
キーワード設定用の画面３０は、キーワード候補部３１、選択済みキーワード部３２および動作選択部３３により構成されている。キーワード候補部３１には、キーワードとして設定可能な、「映画」、「連続ドラマ」といった番組のジャンルのキーワード候補が表示されている。細線で囲っているジャンルは、選択済みであることを示す。選択キーワード部３２には、選択済みのキーワードが表示されている。動作選択部３３には、「登録」、「中止」などの、キーワードの登録、登録抹消などを決定するコマンドが表示されている。
【００６７】
ユーザは、キーワード候補部３１の中から自動録画したいジャンルを選択し、動作選択部３３の「登録」を選択することで、選択したジャンルをキーワードとして登録でき、登録したジャンルが選択済みキーワード部３２に表示される。この例では、「音楽」、「サッカー」、「夜のニュース」、「連続ドラマ」、「バラエティ」がキーワードとして登録されている。
【００６８】
記録再生装置１は、キーワードと電子番組表のデータとを照らし合わせて、キーワードの条件に合った番組に関する情報を、録画予約番組データとして、ＲＡＭ１５またはハードディスク８に記憶する。この録画予約番組データは、電子番組表のデータから得られるものであり、録画予約候補を表示する際に利用される。なお、録画予約番組データは、録画後は、録画済みの番組情報として、ＲＡＭ１５またはハードディスク８に記憶される。
【００６９】
一例として、図７に示すような録画予約候補表示画面４０が表示される。録画予約候補表示画面４０は、時刻表示部４１、録画予約候補リスト４２および動作選択部４３、メッセージ部４４により構成されている。時刻表示部４１には、現在の日時が表示されている。
【００７０】
録画予約候補リスト４２には、これから放送される予定であり、キーワード「連続ドラマ」と適合する番組名が示される録画予約候補の一覧が表示されている。録画予約候補リスト４２は、録画予約候補表示画面４０を表示する毎に、最新の電子番組表のデータと登録されているキーワードとの一致比較を行い、キーワードに適合した番組を、表示形式に応じてソートして表示する。表示形式は、時間順、ジャンル別など、ユーザが所望に切り替え可能とされている。この例では、時間順（下から上に向かって昇順）に番組が表示されている。録画予約候補の一覧は、上下キーによってスクロールする。なお、斜線で示す（「ドラマＦ（第４回）」）は、録画予約候補の一覧から、現在、特定されている番組である。
【００７１】
動作選択部４３には、「決定」、「ビュー」などの動作コマンドが表示されている。「決定」は、選択することで、録画予約候補の一覧で特定されている番組の録画予約の確定または取り消しなどを選択することができる。ユーザは、確定を選択することで、録画予約候補の中から、確実に録画したいと思う番組の録画予約を確定することができる。また、取り消しを選択することで、必要ないと思う番組の録画予約を取り消すことができる。録画予約の確定をしなくても、録画予約候補の一覧に示されている番組は、自動的に録画されるが、あくまで録画予約の候補であり、録画の優先度は録画予約の確定をした番組よりも低い設定とされる。録画予約が確定された番組は、録画予約候補の一覧から表示が消え、ユーザの指定による予約録画として扱われる。録画予約が取り消された番組は、録画予約候補の一覧から表示が消えるが、取り消された番組が連続番組ならば、記録再生装置１は、その番組を録画する。
【００７２】
「ビュー」は、選択することで、録画予約候補表示画面４０の表示を終了する。
【００７３】
番組情報表示部４４は、録画予約候補の一覧中で特定されている番組の放送時間、放送局名、出演者、特記事項などの詳細情報を表示するためのものである。
【００７４】
図８に示すフローチャートを参照して、ＣＰＵ１０が行う録画予約候補消去処理の動作の一例について説明する。録画予約候補消去処理は、録画予約の候補となっている番組を自動録画番組のリストから消去するものである。図８は、録画予約候補消去処理の手順の一例を示す。図８に示す録画番組予約処理は、ユーザがリモコン装置１８を用いて、記録再生装置１に対して、図７に示す録画予約番組リスト画面の表示の指示を行った場合に実行される。
【００７５】
録画予約候補消去処理では、まず、ユーザの指示により、録画予約候補リスト４２の表示の操作が選択されたか否かを判定する（ステップＳ１）。ステップＳ１で、表示の操作が選択されていないと判定された場合には、録画予約候補消去処理を終了する。ステップＳ１で、表示の操作が選択されたと判定された場合には、ハードディスク８またはＲＡＭ１５などに記憶されている録画予約番組データを読み出し、ＯＳＤ回路１３にて、図７に示す録画予約候補表示画面４０を生成し、録画予約候補リスト４２を表示する（ステップＳ２）。
【００７６】
次に、ユーザが録画予約候補リスト４２から番組を消去したか否か、すなわち、録画予約を取り消したか否かを判定する（ステップＳ３）。ステップＳ３で、消去していないと判定された場合には、録画予約候補消去処理を終了する。ステップＳ３で、消去したと判定された場合には、消去された番組が連続番組であるか否かを判定する（ステップＳ４）。連続番組であるか否かは、上述した連続番組に関する情報を読み取ることで判別することができる。
【００７７】
ステップＳ４で、連続番組でないと判定された場合には、ステップＳ６の処理に進む。ステップＳ４で、連続番組であると判定された場合には、ユーザが消去した番組であっても、録画対象番組として録画予約を行うと共に、後述する図１１に示す視聴誘引画面を提示するための対象連続番組フラグの記憶による、予約候補の記憶（ステップＳ５）を行ってから、ステップＳ６の処理に進む。
【００７８】
ステップＳ６では、録画予約候補リスト４２から消去された番組の表示を消し、後述する図１３に示す録画済み番組リストでの非表示フラグを設定する。次に、ユーザが録画予約候補表示画面４０の表示を取り止めたか否かを判定する（ステップＳ７）。ステップＳ７で、表示を取り止めていないと判定された場合には、ステップＳ３〜ステップＳ７の処理を繰り返す。ステップＳ７で、表示を取り止めたと判定された場合には、録画予約候補消去処理を終了する。
【００７９】
ハードディスク８などの録画先記録装置のデータ容量には、上限が存在する。そこで、記録再生装置１は、録画先記録装置の録画可能なデータ容量と、録画予約で録画される予定の番組に要する録画先記録装置のデータ容量とを比較し、録画先記録装置のデータ容量が足りない場合には、自動録画により録画された古い番組を、必要に応じて自動的に消去することが可能とされている。なお、自動録画により録画された古い番組の自動消去は、録画した日時から所定時間が経過した番組に対して行っても良い。
【００８０】
保存期間超過処理は、このような自動消去の際に、未視聴の連続番組を残すような優先順位でもって番組を消去するものである。なお、自動録画でなく、ユーザが自分で番組を指定して録画した番組は、基本的には自動消去の対象とはせず、自動録画による未視聴の連続番組より優先して保存する。
【００８１】
図９に示すフローチャートを参照して、ＣＰＵ１０が行う保存期間超過処理の動作の一例について説明する。保存期間超過処理では、まず、最新の電子番組表情報を取得する（ステップＳ１１）。次に、録画予約候補の抽出を行い（ステップＳ１２）、ハードディスク８などの録画先記録装置に必要とされるデータ容量を計算する（ステップＳ１３）。
【００８２】
そして、録画先記録装置の容量が不足するか否かを判定する（ステップＳ１４）。ステップＳ１４で、容量が足りていると判定された場合には、保存期間超過処理を終了する。ステップＳ１４で、容量が不足していると判定された場合には、自動録画により録画された古い番組から、順次自動消去を行うための対象番組を抽出する（ステップＳ１５）。
【００８３】
次に、対象となった番組が連続番組であるか否かを判定する（ステップＳ１６）。ステップＳ１６で、連続番組でないと判定された場合には、自動消去の対象番組に設定する（ステップＳ１７）。そして、ステップＳ１４に処理が戻される。すなわち、録画予約候補番組のための必要な、ハードディスク８の容量が確保出来るまで、ステップＳ１４〜ステップＳ１８までの処理を繰り返す。ステップＳ１６で、連続番組であると判定された場合には、保存期間の延長、または自動消去非対象の設定を行う（ステップＳ１８）。そして、ステップＳ１４に処理が戻される。
【００８４】
この保存期間超過処理を実行することにより、連続番組に関しては、録画保存期間を延長することで、連続番組以外の番組よりも優先的に保存し、見逃しを防ぐことができる。
【００８５】
録画番組視聴提示処理は、連続番組が途中回で視聴または録画予約された場合に、自動録画により、その連続番組の過去回が録画されていたことをユーザに提示し、視聴を促すものである。提示する番組は、基本的に未視聴のものである。録画番組視聴提示処理は、ユーザが番組の視聴あるいは録画予約を行ったときに実行される。
【００８６】
図１０に示すフローチャートを参照して、ＣＰＵ１０が行う録画番組視聴提示処理の動作の一例について説明する。なお、この録画番組視聴提示処理は、録画予約を行った場合についてのものである。録画番組視聴提示処理では、まず、録画予約の指示が行われたか否か、すなわち、図７に示す録画予約候補表示画面４０の表示中に、ユーザが番組を予約確定したか否かを判定する（ステップＳ２１）。ステップＳ２１で、録画予約の指示が行われていないと判定された場合には、録画番組視聴提示処理を終了する。ステップＳ２１で、録画予約の指示が行われたと判定された場合には、指示された番組が過去において、録画予約を取り消した連続番組、すなわち、図８に示す録画予約候補消去処理のステップＳ５で処理を行った連続番組であるか否かを判定する（ステップＳ２２）。
【００８７】
ステップＳ２２で、録画予約を取り消した連続番組でないと判定された場合には、録画番組視聴提示処理を終了する。ステップＳ２２で、録画予約を取り消した連続番組であると判定された場合には、ユーザインタフェース（ＵＩ）画面を生成して表示し（ステップＳ２３）、ユーザに対して過去回の録画済み番組を視聴するか否かを問い合わせる（ステップＳ２４）。
【００８８】
図１１は、問い合わせの際に表示するユーザインタフェース画面の一例である。提示画面５０は、動作選択部５１、メッセージ部５２により構成されている。動作選択部５１は、「はい」、「いいえ」などの、ユーザが未視聴の回を視聴するか否かを選択するための動作コマンドが表示されている。「はい」を選択すると、過去に放送された回が再生される。「いいえ」を選択すると、図７に示す録画予約候補表示画面４０に戻る。メッセージ部５２は、「過去に放送された回を再生しますか？」などのメッセージにより、ユーザに未視聴の回が存在することを提示するためのものである。なお、図１１に示す画面は、上述した対象連続番組フラグに基づき作成される。
【００８９】
この例では、ユーザが第４回より前の放送回のときに、録画予約候補から消去した「ドラマＦ」を、ユーザが第４回目ときに、図７に示す録画予約候補表示画面４０によって、録画予約の確定をした場合に、過去回放送分があることを提示し、再生するか否かを問い合わせている。
【００９０】
ステップＳ２４で、視聴すると判定された場合には、対応する過去回の連続番組を再生して（ステップＳ２５）、録画番組視聴提示処理を終了する。この再生は、例えば、録画されている連続番組の中で最も古い回の番組から行う。番組の回数に関する情報は、連続番組に関する情報を読み取ることで認識することができる。ステップＳ２４で、視聴しないと判定された場合には、以降、録画済み番組リストをユーザが選択した場合に、該当する連続番組をリスト表示するためのフラグを設定して（ステップＳ２６）、録画番組視聴提示処理を終了する。以降、録画済み番組リストをユーザが選択した場合に、このフラグが設定された連続番組がリストに表示される。
【００９１】
録画番組視聴提示処理によって、ユーザは、番組の視聴または録画予約した際に、その番組の過去放送分が密かに録画されていることを知り、その過去放送分を再生することができる。
【００９２】
録画済み番組リスト表示処理は、連続番組が途中回から録画された場合に、自動録画により、その連続番組の過去回が録画されていたことをユーザに提示し、視聴を促すものである。提示する番組は、基本的に未視聴のものである。録画済み番組リスト表示処理は、ユーザが録画済みの番組の再生を行おうとするときに実行される。
【００９３】
図１２に示すフローチャートを参照して、ＣＰＵ１０が行う録画済み番組リスト表示処理の動作の一例について説明する。まず、録画済み番組リスト表示処理では、ユーザが録画済み番組のリストの表示を選択したか否かを判定する（ステップＳ３１）。
【００９４】
図１３は、録画済み番組リストの表示画面の一例である。録画済み番組表示画面６０は、ジャンル選択部６１、録画済み番組リスト６２および動作選択部６４により構成されている。
【００９５】
再生番組選択部６１には、「ドラマ」、「スポーツ」などの録画済み番組のジャンルを選択するものである。録画済み番組リスト６２には、録画済み番組の一覧が表示されている。なお、未視聴の番組（図１３に示す例では、「ドラマＦ（第４回）」）には、未視聴であることを識別するマーク、[ＮＥＷ]が記されている。この識別マークは、番組を再生することで表示が消える。録画済み番組の一覧の表示形式は、時間順、ジャンル別など、ユーザが所望に切り替え可能とされている。この例では、ジャンル「ドラマ」の録画済み番組が時間順（下から上に向かって昇順）に表示されている。録画済み番組の一覧は、上下キーによってスクロールする。なお、斜線で示す（「ドラマＦ（第４回）」）は、録画済み番組の一覧から、現在、特定されている番組である。
【００９６】
動作選択部６４には、「決定」、「ビュー」などの動作コマンドが表示されている。「決定」は、選択することで、録画済み番組の一覧で特定されている番組の再生または消去などを選択することができる。ユーザは、再生を選択することで、その番組を再生し、視聴することができる。再生後は、再生した番組の識別マーク「ＮＥＷ」の表示が消える。また、消去を選択することで、その番組を消去することができる。「ビュー」は、選択することで、録画済み番組表示画面６０の表示を終了する。
【００９７】
ステップＳ３１で、録画済み番組のリストの表示が選択されていないと判定された場合には、録画済み番組リスト表示処理を終了する。ステップＳ３１で、録画済み番組リストの表示が選択されたと判定された場合には、録画済みの番組情報を、ＲＡＭ１５またはハードディスク８などの記憶装置から読み出す。
【００９８】
次に、読み出した番組データから、上述した録画予約候補消去処理のステップＳ６で設定した非表示フラグを参照し、非表示対象の番組であるか否かを判定する（ステップＳ３３）。
【００９９】
ステップＳ３３で、非表示対象の番組であると判定された場合には、その番組のデータを表示データから削除し、録画済み番組リスト表示処理を終了する。ステップＳ３３で、表示対象番組であると判定された場合には、過去に遡って、密かに録画予約され、自動録画された未視聴の連続番組のデータを、録画済み番組のリストに表示し、録画済み番組リスト表示処理を終了する。図１３に示す例では、「ドラマＦ」が表示対象に設定されており、「ドラマＦ（第４回）」の録画予約の確定による録画によって、「ドラマＦ（第４回）」と共に、未視聴の過去回放送分である「ドラマＦ（第１回）〜ドラマＦ（第３回）」が録画済み番組リスト６２に表示されている。
【０１００】
この録画済み番組リスト表示処理によって、ユーザは、録画番組を再生する際に、その番組の過去放送分が密かに録画されていることを知り、その過去放送分を再生して視聴することができる。
【０１０１】
以上説明したように、この一実施形態による記録再生装置１によれば、番組が連続番組である場合には、録画予約の対象外とされても録画しておき、ユーザが、その連続番組を途中から視聴または録画予約した場合に、ユーザに過去放送分の未視聴の録画済み番組があることを提示し、再生を促すことができる。また、ユーザが、連続番組を途中から録画予約により録画し、再生する場合に、ユーザに過去放送分の未視聴の録画済み番組があることを提示し、再生を促すことができる。依って、連続番組の見逃しを防止でき、連続番組を快適に視聴することができる。
【０１０２】
この発明は、上述したこの発明の実施形態に限定されるものでは無く、この発明の要旨を逸脱しない範囲内で様々な変形や応用が可能である。例えば、上述した記録再生装置１の映像および音声データの入出力部の構成は、特に限定されるものではなく、入力部では、デジタル放送とアナログ放送のどちらか一方を受信する構成であっても良い。また、映像信号および音声信号は、外部入力端子から入力しても良い。出力部では、テレビジョン受像機が内蔵する記録再生装置である場合、映像信号および音声信号をディスプレイ等の出力装置に直接出力する構成としても良い。また、映像信号および音声信号は、外部出力端子から出力しても良い。
【０１０３】
また、上述した記録再生装置１では、連続番組に関する情報を電子番組表のデータから取得するとしたが、連続番組に関する情報は、電子番組表以外、例えばネットワークなどから直接、取得しても良い。
【０１０４】
また、上述した記録再生装置１では、ユーザが予め設定したキーワードに従って自動的に番組を録画するとしたが、録画先の記録装置の容量が十分あるのであれば、連続番組は、自動録画の指定の有無に関わらず、全て自動的に録画するとしても良い。
【図面の簡単な説明】
【０１０５】
【図１】この発明の一実施形態による記録再生装置の構成の一例を示すブロック図である。
【図２】地上波アナログ放送における電子番組表のデータ構造の一例を示す図である。
【図３】一実施形態に適用可能な電子番組表データのテーブル構成の一例を示す図である。
【図４】ＡＲＩＢで定義されているイベント情報テーブルの構造を示す図である。
【図５】ＡＲＩＢ定義されているシリーズ記述子の構造を示す図である。
【図６】キーワード設定用の画面の一例を示す図である。
【図７】録画予約候補表示用の画面の一例を示す図である。
【図８】録画予約候補消去処理の一例を示すフローチャートである。
【図９】保存期間超過処理の一例を示すフローチャートである。
【図１０】録画番組視聴提示処理の一例を示すフローチャートである。
【図１１】未視聴番組提示用画面の一例を示す図である。
【図１２】録画済み番組リスト表示処理の一例を示すフローチャートである。
【図１３】録画済み番組の提示用の画面の一例を示す図である。
【符号の説明】
【０１０６】
１・・・記録再生装置、２・・・地上波チューナ部、３・・・アナログビデオデコーダ、８・・・ハードディスクドライブ、９・・・ＤＶＤドライブ、１０・・・ＣＰＵ、１１・・・外部接続用インタフェース、１３・・・ＯＳＤ回路、１５・・・ＲＡＭ、１６・・・ＲＯＭ、１７・・・リモコン受光部、１８・・・リモコン装置、１９・・・デジタルチューナ部、２１・・・エラー訂正回路
【図１】
2005302117.tif 000003
【図２】
2005302117.tif 000004
【図３】
2005302117.tif 000005
【図４】
2005302117.tif 000006
【図５】
2005302117.tif 000007
【図６】
2005302117.tif 000008
【図７】
2005302117.tif 000009
【図８】
2005302117.tif 000010
【図９】
2005302117.tif 000011
【図１０】
2005302117.tif 000012
【図１１】
2005302117.tif 000013
【図１２】
2005302117.tif 000014
【図１３】
2005302117.tif 000015